(57)【要約】      （修正有）【課題】足し線がなくても配電線事故時に早期に復旧させることが可能な仮送電用クランプ装置の提供。【解決手段】仮送電用クランプ装置１は、全体が導電性部材で構成され、間に配された電線を挟み込む一対のくさび片２２ａ，２２ｂ，３２ａ，３２ｂからなるくさび部２２，３２と、一対のくさび部を挿入固定するクランプ部２１，３１とを有する支持クランプ２，３を両端部に備える。それぞれの支持クランプにクランプ部と一体をなす連結ロッド２５，３５を設け、一方の支持クランプの連結ロッドに雄ねじが外周面に形成されたアジャストボルト４１を回転自在に連結し、また、他方の支持クランプの連結ロッドに雌ねじ４２ａが内周面に形成されたねじ孔４２eを有するアジャストブロック４２を回転自在に連結する。アジャストボルトとアジャストブロックとは、互いの螺合量を調節可能に螺合して連結される。【選択図】図１
2015033250.tif 000002
【特許請求の範囲】
【請求項１】
全体が導電性部材で構成され、間に配された電線を挟み込む一対のくさび片からなるくさび部と、前記一対のくさび部を挿入固定するクランプ部とを具備する支持クランプを両端部に備え、それぞれの前記支持クランプに前記クランプ部と一体をなす連結ロッドを設け、一方の前記支持クランプの連結ロッドに雄ねじが外周面に形成されたアジャストボルトを回転自在に連結し、他方の前記支持クランプの連結ロッドに雌ねじが内周面に形成されたねじ孔を有するアジャストブロックを回転自在に連結し、前記アジャストボルトと前記アジャストブロックとを互いの螺合量を調節可能に螺合して連結させたことを特徴とする仮送電用クランプ装置。
【請求項２】
前記アジャストボルトには、前記一方の支持クランプの連結ロッドとの連結部位の近傍に、また、前記アジャストブロックには、前記他方の支持クランプの連結ロッドとの連結部位の近傍に、間接活線把持工具で把持可能な工具用被把持部がそれぞれ形成されていることを特徴とする請求項１記載の仮送電用クランプ装置。
【請求項３】
前記アジャストボルトとこれに連結する前記連結ロッド、及び、前記アジャストブロックとこれに連結する前記連結ロッドとは、それぞれ自由継手により連結されていることを特徴とする請求項１又は２記載の仮送電用クランプ装置。
【発明の詳細な説明】
【技術分野】
【０００１】
本発明は、高圧配電線路の事故時における応急復旧作業において、断線している電線を電気的に接続して仮送電することが可能な仮送電用クランプ装置に関する。
【背景技術】
【０００２】
高圧配電線が落雷等により断線した場合には、断線した高圧電線の切断箇所を必要に応じて適当な範囲で切除し、電源側の切断線と負荷側の切断線との間に足し線を配置し、電源側の切断線の切断端部と足し線の一端とを第１の直線スリーブで接続し、また、負荷側の切断線の切断端部と足し線の他端とを第２の直線スリーブで接続して改修を行うようにしている（特許文献１等参照）。
【先行技術文献】
【特許文献】
【０００３】
【特許文献１】特開２００８−０２２６２９号公報
【発明の概要】
【発明が解決しようとする課題】
【０００４】
しかしながら、足し線をスリーブ接続するためには、直線スリーブの一端に切断線を挿入し、他端に足し線を挿入し、それぞれの挿入部分でスリーブを圧縮しなければならず、直線スリーブ毎に複数回の圧縮操作が必要となる。また、足し線の長さを考慮して接続する必要があり、足し線が短い場合には、足し線をさらに補充する作業が必要となり、長すぎる場合には、不要な長さ分を柱上で切除する等の作業が必要となる。このため、作業時間が長くなり、仮復旧までに時間を要するものであった。
しかも、直線スリーブや足し線は、作業のやり直しや追加作業を見越して余分に用意する必要があり、また、圧縮作業を行うための専用の圧縮工具等も必要となり、いろいろは材料や工具を持っていく必要がある。
【０００５】
本発明は、係る事情に鑑みてなされたものであり、直線スリーブや足し線がなくても断線した電線を早期に仮復旧させて仮送電することが可能な仮送電用クランプ装置を提供することを主たる課題としている。
【課題を解決するための手段】
【０００６】
上記課題を達成するために、本発明に係る仮送電用クランプ装置は、全体が導電性部材で構成され、間に配された電線を挟み込む一対のくさび片からなるくさび部と、前記一対のくさび部を挿入固定するクランプ部とを具備する支持クランプを両端部に備え、それぞれの前記支持クランプに前記クランプ部と一体をなす連結ロッドを設け、一方の前記支持クランプの連結ロッドに雄ねじが外周面に形成されたアジャストボルトを回転自在に連結し、他方の前記支持クランプの連結ロッドに雌ねじが内周面に形成されたねじ孔を有するアジャストブロックを回転自在に連結し、前記アジャストボルトと前記アジャストブロックとを互いの螺合量を調節可能に螺合して連結させたことを特徴としている。
【０００７】
したがって、断線した電線の一方の切断線の端部をそのまま、又は、必要に応じて所定範囲を切除した後に一方の支持クランプのくさび部で挟み込み、その状態でその一対のくさび部を一方の支持クランプのクランプ部に挿入固定すれば、一方の切断線に一方の支持クランプを固定することができる。そして、その状態で、支持クランプを取り付けた切断線を張り上げて他方の切断線の端部をそのまま、又は、必要に応じて所定範囲を切除した後に他方の支持クランプのくさび部で挟み込み、その状態でその一対のくさび部を他方の支持クランプのクランプ部に挿入固定すれば、他方の切断線に他方の支持クランプを固定することができ、一方の切断端部と他方の切断端部が仮送電用クランプ装置を介して電気的に接続されることとなる。
【０００８】
なお、このような仮送電用クランプ装置を用いた作業において、支持クランプ間の長さを予め調整したい場合や、切断線間に仮送電用クランプ装置を装着させた後に電線の弛度調整を行いたい場合には、アジャストボルトとジャストブロックとの螺合量を調節する作業が必要となるので、アジャストボルトには、一方の支持クランプの連結ロッドとの連結部位の近傍に、また、アジャストブロックには、前記他方の支持クランプの連結ロッドとの連結部位の近傍に、それぞれ間接活線把持工具で把持可能な工具用被把持部を形成するとよい。
【０００９】
また、アジャストボルトやアジャストブロックのスムーズな回転を確保するために、アジャストボルトとこれに連結する連結ロッド、及び、前記アジャストブロックとこれに連結する連結ロッドとは、それぞれ球体継手等の自由継手により連結されるようにするとよい。
【発明の効果】
【００１０】
以上述べたように、本発明に係る仮送電用クランプ装置を、電線を間に挟み込む一対のくさび片からなるくさび部と、この一対のくさび部を挿入固定するクランプ部とを具備する支持クランプを両端部に有し、一方の支持クランプのクランプ部と一体をなす連結ロッドに、雄ねじが外周面に形成されたアジャストボルトを回転可能に連結し、他方の支持クランプのクランプ部と一体をなす連結ロッドに、雌ねじが内周面に形成されたねじ孔を有するアジャストブロックを回転可能に連結し、これらアジャストボルトとアジャストブロックとを互いの螺合量を調節可能に螺合して連結させる構成としたので、足し線や直線スリーブを用いなくても、断線した電線を早期に仮復旧させて仮送電することが可能となる。
【図面の簡単な説明】
【００１１】
【図１】図１は、本発明に係る仮送電用クランプ装置の全体構成を示す図である。
【図２】図２は、電線が断線した直後の状態を示す図である。
【図３】図３は、断線して地上に落ちた電線に仮送電用クランプ装置の一方を支持クランプを接続した状態を示す図である。
【図４】図４は、仮送電用クランプ装置が取り付けられた電線を張線器で張り上げた状態を示す図である。
【図５】図５は、張り上げた電線の仮送電用クランプ装置の他方に断線した他方の電線を接続した応対を示す図である。
【図６】図６は、仮送電用クランプ装置の両側の支持クランプに電線を支持した状態でアジャストボルトとアジャストブロックとの螺合量を調整するための操作を説明する図である。
【発明を実施するための形態】
【００１２】
以下、本発明に係る仮送電用クランプ装置の実施形態を、添付図面を参照しながら説明する。
【００１３】
図１において、本発明に係る仮送電用クランプ装置１が示されている。この仮送電用クランプ装置１は、その全体が導電性部材で構成されているもので、両端部に形成された支持クランプ２，３と、その間に設けられた伸縮機構４とを有して構成されている。
【００１４】
各支持クランプ２，３は、クランプ部２１，３１とくさび部２２，３２とから構成されている。
【００１５】
クランプ部２１，３１は、くさび部２２，３２が挿入されるテーパ状に形成された把持部２３，３３を有し、この把持部２３，３３の下部にシメラーロープ等を取り付ける取付部２４，３４が形成されている。また、クランプ部２１，３１には、これと一体をなしてくさび部２２，３２に沿って延設された連結ロッド２５，３５を有している。
【００１６】
くさび部２２，３２は、一対のくさび片２２ａ，２２ｂ，３２ａ，３２ｂから構成され、それらの一端側の側部はボルト２６，３６で一体的に固定され、このボルト２６，３６を緩めることで両くさび片２２ａ，２２ｂ，３２ａ，３２ｂの間隔が広がり、間に電線（切断線１０ａ，１０ｂ）を挿入可能としている。なお、電線（切断線１０ａ，１０ｂ）の挿入は、被覆が剥ぎ取られた芯線を両くさび片２２ａ，２２ｂ，３２ａ，３２ｂの間に挿入して行われる。
【００１７】
くさび部２２，３２の他端側はクランプ部２１，３１に形成されているテーパと協働し、くさび部２２，３２が把持部２３，３３に挿入されるに従い、両くさび片２２ａ，２２ｂ，３２ａ，３２ｂ間に存在する電線（切断線１０ａ，１０ｂ）に把持力が与えられるようになっている。
【００１８】
したがって、それぞれの支持クランプ２，３は、ボルト２６，３６を緩めてくさび部２２，３２の一対のくさび片間に切断線１０ａ，１０ｂの被覆を剥いだ先端部を挿入し、その後、ボルト２６，３６を締めると共にくさび部２２，３２の他端側をクランプ部２１，３１に押し込むことで、切断線１０ａ，１０ｂがくさび部２２，３２によって強固に把持される。
【００１９】
伸縮機構４は、一方の支持クランプ２の連結ロッド２５に回転可能に取り付けられたアジャストボルト４１と、他方の支持クランプ３の連結ロッド３５に回転可能に取り付けられ、前記アジャストボルト４１と螺合するアジャストブロック４２とにより構成されている。
【００２０】
アジャストボルト４１は、連結ロッド２５と連結する近傍から先端にかけて外周面に雄ねじ４１ａが形成された円柱形状に形成されているもので、基端部には、外周面が六角に形成された工具用被把持部４１ｂが一体に形成されている。そして、アジャストボルト４１の基端部は支持クランプ２の連結ロッド２５の先端部に連結されている。この例では、アジャストボルト４１の基端から軸方向に延びる支軸４１ｃの先端に球体部４１ｄを設け、また、支持クランプ２の連結ロッド２５の先端部にこの球体部４１ｄを受ける球体受部２５ａを設け、球体受部２５ａに球体部４１ｄを摺動自在に、且つ、離脱不能に嵌合した球体継手によって連結されている。
【００２１】
また、アジャストブロック４２は、内周面に雌ネジ４２ａが形成されたねじ孔４２eを有する円筒形状に形成されているもので、基端部に、外周面が六角に形成された工具用被把持部が４２ｂが一体に形成されている。そして、アジャストブロック４２の基端部は支持クランプ３の連結ロッド３５の先端部に連結されている。この例では、アジャストブロック４２の基端から軸方向に延びる支軸４２ｃの先端に球体部４２ｄを設け、また、支持クランプ３の連結ロッド３５の先端部にこの球体部４２ｄを受ける球体受部３５ａを設け、球体受部３５ａに球体部４２ｄを摺動自在に、且つ、離脱不能に嵌合した球体継手によって連結されている。
【００２２】
したがって、一方の支持クランプ２と他方の支持クランプ３との間隔は、アジャストボルト４１を回動させることにより、又は、アジャストブロック４２を回動させることにより、これらアジャストボルト４１とアジャストブロック４２との螺合量を調整することで調節されるようになっている。
【００２３】
以上の構成において、図２に示されるように、断線した電線１０を復旧させるためには、先ず、図３に示されるように、断線した電線１０の一方の切断線１０ａ（この例では、地上に落下した切断線）の端部を、仮送電用クランプ装置１の一方の支持クランプ２のくさび部２２で挟み込み、その状態でこの一対のくさび部２２をクランプ部２１に挿入固定することで一方の切断線１０ａの端部に一方の支持クランプ２を固定する。
【００２４】
その後、図４に示されるように、電柱の腕金に取り付けられた張線器５１のシメラーロープを仮送電用クランプ装置１の他方の支持クランプ３の取付部３４に取り付けて、この張線器５１によって仮送電用クランプ装置１を取り付けた切断線１０ａを引き上げ、引き上げたところで、図５に示されるように、断線した電線１０の他方の切断線１０ｂ（この例では、柱上から垂れ下がっている切断線）の端部を、支持クランプ３のくさび部３２で挟み込み、その状態でその一対のくさび部３２をクランプ部３１に挿入固定し、これにより他方の切断線１０ｂの端部に他方を支持クランプ３を固定する
【００２５】
そして、その後に、必要に応じて、図６に示されるように、間接活線把持工具５０（例えば、絶縁ヤットコ）で工具用被把持部４１ｂ，４２ｂを把持してアジャストボルト４１又はアジャストブロック４２を回転させ、これによりアジャルトボルト４１とアジャストブロック４２との螺合量を調整して電線１０の弛度調整を行う。
【００２６】
したがって、断線した電線１０の各切断線１０ａ，１０ｂは、仮送電用クランプ装置１によって電気的に接続されるので、足し線や直線スリーブを必要とせずに仮復旧作業を短時間で行うことが可能となり、早期に仮送電することが可能となる。
【００２７】
なお、上述の例では、アジャストボルト４１と一方の支持クランプ２の連結ロッド２５とを回転自在に連結する手段、及び、アジャストブロック４２と他方の支持クランプ３の連結ロッド３５とを回転自在に連結する手段として、球体継手を用いた場合を示したが、ユニバーサルジョイント等の他の自由継手を用いるようにしてもよい。
【符号の説明】
【００２８】
１  仮送電用クランプ装置
２，３  支持クランプ
２１，３１  クランク部
２２，３２  くさび部
２２ａ，２２ｂ，３２ａ，３２ｂ  くさび片
２５，３５  連結ロッド
２５ａ，３５ａ  球体受部
４１  アジャストボルト
４２  アジャストブロック
４１ｂ，４２ｂ  工具用被把持部
４１ｄ，４２ｄ  球体部
【図１】
2015033250.tif 000003
【図２】
2015033250.tif 000004
【図３】
2015033250.tif 000005
【図４】
2015033250.tif 000006
【図５】
2015033250.tif 000007
【図６】
2015033250.tif 000008